(57)【要約】【課題】  リモート撮影でのミラーアップ撮影において、カメラ本体の表示をリモート撮影画面にミラーアップ撮影の状況を表示し、さらにミラーアップ撮影の設定および撮影状況を撮影者にわかりやすく判別する方法を提供することである。【解決手段】  デジタルカメラとコンピュータを接続して行うリモート撮影時のコンピュータ側へ表示するミラーアップ撮影の表示形態において、ミラーアップ撮影設定が未設定であることを表す表示形態追加し、ミラーアップ撮影の状態を４状態の表現で行う。【選択図】  図１
2011041174.tif 000002
【特許請求の範囲】
【請求項１】
コンピュータと撮影装置を接続し、リモートでの撮影に係る情報を表示する画面を有し、ミラーアップ撮影の設定状態と、ミラーアップ撮影の状態の情報を表示する画面とを備える撮影装置において、ミラーアップ撮影の未設定状態を表示する手段（３１５）と、ミラーアップ撮影の設定が有効になっていることを表示する手段（３１４）、ミラーアップ撮影中であることを表示する手段（３１６）、ミラーアップ撮影が無効であることを表示する手段（３１７）とを有し、ミラーアップ撮影に係る状態およびミラーアップ撮影に係る設定情報とを撮影装置から取得し、状況に応じて表示の形態を変更する手段を有する撮影装置。
【発明の詳細な説明】
【技術分野】
【０００１】
本発明は、ミラーアップ撮影可能な撮影装置に関し、特にリモート撮影におけるミラーアップ撮影時の表示に関するものである。
【背景技術】
【０００２】
従来、ミラーアップ撮影時のミラーアップ状態および設定状況の表示はカメラ本体の表示装置に出力する。ミラーアップ撮影時の表示はミラーアップ撮影設定時にミラーアップ撮影マークを点灯表示し、ミラーアップ撮影中はミラーアップマークを点滅表示して撮影中であることを撮影者に通知する。 ミラーアップ撮影不可およびミラーアップ撮影の設定を有効になっていない場合、ミラーアップマークを消灯表示する。リモート撮影において、撮影者とカメラ本体が離れた状況では、ミラーアップ撮影の状況を即座に判別することが難しいという問題がある。
【０００３】
例えば、特許文献１ではミラーアップマークの表示制御について開示されている。
【先行技術文献】
【特許文献】
【０００４】
【特許文献１】特開２００３−１８６１０１号公報
【発明の概要】
【発明が解決しようとする課題】
【０００５】
しかしながら、カメラ本体と離れた状況で撮影を行うリモート撮影において、カメラ本体と撮影者が離れた位置にいるため、メカ動作時の作動音などによりミラーが上がっている状態の把握することや、カメラ本体の表示装置にてミラーアップ設定状況がわかりづらい問題がある。従来、カメラ本体に付随している表示装置の表示方式は、従来点灯、点滅、消灯の３つの状態であるため、撮影者がミラーアップ撮影の設定がなされていないのか、または設定が有効であるのかを判別することが困難である。
【０００６】
そこで、本発明の目的は、リモートでのミラーアップ撮影において、カメラ本体の表示をリモート撮影画面にミラーアップ撮影の状況を表示し、さらにミラーアップ撮影の設定および撮影状況を撮影者にわかりやすく判別する方法を提供することである。
【課題を解決するための手段】
【０００７】
本発明に係る撮影装置は、コンピュータと撮影装置を接続し、リモートでの撮影に係る情報を表示する画面を有し、ミラーアップ撮影の設定状態と、ミラーアップ撮影の状態の情報を表示する画面とを備える撮影装置において、ミラーアップ撮影の未設定状態を表示する手段と、ミラーアップ撮影の設定が有効になっていることを表示する手段、ミラーアップ撮影中であることを表示する手段、ミラーアップ撮影が無効であることを表示する手段とを有し、ミラーアップ撮影に係る状態およびミラーアップ撮影に係る設定情報とを撮影装置から取得し、状況に応じて表示の形態を変更する手段を有する。
【発明の効果】
【０００８】
本発明によればミラーアップ撮影の状態をよりわかりやすく提供することができる。
【０００９】
請求項１記載の撮影装置によれば、リモート撮影においてミラーアップ撮影の状態を把握することができる。撮影装置によれば、ミラーアップ撮影の設定前において、設定の有無を判別することが容易にでき、ユーザインタフェースが向上する。また、ミラーアップ撮影の有効または無効の状態判別が容易になり、ミラーアップ撮影が無効な状態でのミラーアップ撮影の状態を判別することが容易になる。
【図面の簡単な説明】
【００１０】
【図１】本発明に係るデジタルカメラの一実施の形態を示すシステム構成図である。
【図２】本発明に係るデジタルカメラの構成を示すブロック構成図である。
【図３】本発明に係るデジタルカメラの制御方法の制御手順を示すフローチャート。
【図４】ミラーアップマークの表示形態を示す図である。
【発明を実施するための形態】
【００１１】
以下に、本発明の好ましい実施の形態を、添付の図面に基づいて詳細に説明する。図１は、本発明の実施形態にかかわるシステム構成図である。
【実施例１】
【００１２】
以下に、本発明の形態を示す実施例１を表す。
【００１３】
図1に交換レンズ式のデジタルカメラの概略図を示す。
【００１４】
交換可能なレンズ１は、一般的に、焦点距離を可変するためのズームレンズ１１、明るさを制御するための絞り機構１２、被写体にピントを合わせるためのフォーカスレンズ１３を有している。また、この交換式レンズ１は、レンズ側のマウント１４がデジタルカメラ２のマウント部２７と機械的に接合することができる様になっている。デジタルカメラ２は、レンズを通過してきた光を２１のハーフミラーで反射させ、ピント板２４の位置で結像させる。ピント板２４で結像した光は、プリズム２５で反転され、接眼レンズ２６を通して正立像として観測できる。
【００１５】
また、撮影時には、ハーフミラー２１が跳ね上がり、シャッター２２が開き、レンズ１を通過してきた光が、撮像素子２３に結像する。
【００１６】
交換可能なレンズ１のマウント部１４には、接点群１５が組み込まれている。この接点群１５は、デジタルカメラ本体から、電源を供給し、通信を行うための接点（不図示）である。接点群１５としては、電源、グランド、送信、受信、クロックなどの用途にそれぞれ分かれている。
【００１７】
この交換可能なレンズ１のマウント部１４は、デジタルカメラ２のマウント部２７と接合することによって、マウント部１４にある接点群１５とマウント部２７にある接点群２８の中の接続端子が各々つながる。
【００１８】
その結果、接続端子を経由してデジタルカメラ２から、交換可能なレンズ１に電源が供給され、交換可能なレンズ１とデジタルカメラ２の間で通信が開始される。
【００１９】
次に、図２にデジタルカメラ２の内部の構成について示す。
【００２０】
撮像素子２３は、CCDやCMOSのようなセンサーであり、撮像素子２３に結像した光は、撮像素子２３内の各画素において,入射光量に応じた量の電荷に変換される。
【００２１】
タイミングジェネレータ３２が発生させる信号は、撮像素子２３を駆動し、センサーに蓄積した電荷を伝送し、順次電圧信号に変換される。
【００２２】
前記変換された電圧信号は、相関二重サンプリング３０（以下CDSと呼ぶ）でサンプリングされ,A/D変換器３１でデジタル信号に変換される。
【００２３】
デジタル信号に変換された画像データは、IC３３に入力され、まず、前記データに対してホワイトバランスのためのデータを算出するためのWB回路３３aに入り、３５のメモリー１にいったん格納される。
【００２４】
３５のメモリー1に格納されたデータは、再びIC３３に入力され、3つの画像処理を施される。
【００２５】
まず、デジタル信号に変換された画像データは、そのままロスレス圧縮（可逆圧縮）をかけるロスレス圧縮回路３３dにおいてロスレス圧縮されたRAWデータに変換されCPUバス３４に送り出される。
【００２６】
また、デジタル信号に変換された画像データは、例えば図7のようにRAWデータをブロック内平均したりローパスフィルタをかけたりして帯域を落とし、そこから間引くことによってダウンサンプリングされ、元の画像サイズより小さいサムネイル画像に変換されるためにRAWサムネイル回路３３cで間引き処理され、CPUバス３４に送られる。
【００２７】
最後に、jpeg圧縮するための画像を作るために、画像処理回路３３bにおいて画像処理を施され、その結果出力されるYcbCrは、ラスタブロック変換されて、jpeg圧縮回路３３eでjpeg圧縮をされて、CPUバス３４に送られる。
【００２８】
CPU３６は、電源が投入された直後、３７のメモリー２内部のプログラムに従い、デジタルカメラ２を初期化し、交換レンズと通信を開始する。
【００２９】
また、CPUは、撮影された画像データでCPUバス３４に出力された画像データを一度３５のメモリー１に格納し、インターフェース回路３８を介して外部メモリー３９に最終的に書き込む。
【００３０】
CPU３６につながるスイッチ４０は、レリーズスイッチであり、スイッチ４０を押すことによって、上記の撮影の動作が行われ、外部メモリー３９に画像が書き込まれる。
【００３１】
ミラーアップ撮影の設定が有効になっており、ミラーアップ撮影を行う場合には、ハーフミラーの跳ね上がり時に発生する振動によるデジタルカメラのブレを防ぐために、レリーズスイッチを押すと、ハーフミラー２１が跳ね上がるのみで撮影動作を行わず、レリーズスイッチを離してもハーフミラー２１が上がった状態を維持する。再度、レリーズスイッチを押すと、撮影の動作が行われ、外部メモリー３９に画像が書き込まれる。
【００３２】
次に、本発明の外部インターフェースを介してコンピュータと接続したデジタルカメラにおけるミラーアップ設定およびミラーアップ撮影の状況を示すミラーアップマークの表示方法を説明する。
【００３３】
ミラーアップマークの表示はコンピュータ４０と接続されるディスプレイ４１に表示する。
【００３４】
図３ａはコンピュータと接続したディスプレイ４１へミラーアップ状態を表示する画面パネル３１０である。リモート撮影時に画面パネル３１０へ、撮影モード３１１、ドライブモード３１２、AFモード３１３といった撮影設定表示と共にミラーアップマークの表示がなされる。
【００３５】
図３ａ、図３ｂ、図３ｃ、図３ｄにあるミラーアップマーク表示３１４、ミラーアップマーク表示３１５、ミラーアップマーク表示３１６、ミラーアップマーク表示３１７は、本発明のミラーアップマーク表示種別およびミラーアップマークの表示状態であって、リモート撮影でのミラーアップ撮影における各ミラーアップ設定状態によって、それぞれミラーアップマークの表示種別を選択し、ミラーアップ撮影の状態によってミラーアップマークの表示状態を切り替える。
【００３６】
ミラーアップマークの表示状態は、ミラーアップ撮影の設定およびミラーアップ撮影の状態により、以下のようになる。
【００３７】
ミラーアップマーク表示３１４はミラーアップマーク点灯状態を表し、ミラーアップ撮影を「する」設定になっており、ミラーアップ撮影が可能であることを意味する。
【００３８】
ミラーアップマーク表示３１５はミラーアップマークの薄い表示状態を表し、ミラーアップ撮影の設定が「未設定（しない）」状態になっており、ミラーアップ撮影の設定が可能であることを意味する。
【００３９】
ミラーアップマーク表示３１６はミラーアップマークが点滅状態であることを表し、ミラーアップ撮影中であることを意味する。
【００４０】
ミラーアップマーク表示３１７はミラーアップマークが消灯状態であることを表し、ミラーアップ撮影が有効ではない状態にあることを意味する。
【００４１】
なお、ミラーアップ撮影およびミラーアップ設定の状態によるミラーアップマークの表示形態は実施例１にて示した例に限定されるものではなく、たとえばミラーアップマークの点滅表示の代わりに色を変更する場合や、ミラーアップマーク消灯表示の代わりにマークの表示を小さくするといった代替の表示方法を適用しても良い。
【００４２】
図４は本発明のミラーアップ表示制御フローチャートであって本プログラムはコンピュータにて実行する。
【００４３】
デジタルカメラ２は、インターフェース３８を介して、コンピュータ４０と接続される。コンピュータ４０は、デジタルカメラ２と通信を行い、デジタルカメラ２の内部の表１に相当する情報を得ることができる。
【００４４】
ステップＳ１０１でデジタルカメラ２およびコンピュータ４０を共に電源を入れ、通電させ動作可能な状態にする。
【００４５】
ステップＳ１０２でコンピュータ４０からデジタルカメラ２へ、現在のコンピュータ４０の設定情報を通知して、デジタルカメラ２はコンピュータ４０の設定状態を受信する。
【００４６】
ステップＳ１０２でデジタルカメラ２からコンピュータ４０へ、現在のカメラ設定情報を通知し、コンピュータ４０はデジタルカメラ２の状態を受信する。
【００４７】
ステップＳ１０２でデジタルカメラ２から受信した設定情報とは、撮影モードの設定状態、ミラーアップ撮影の設定状態、ライブビュー状態、ミラーアップ表示状態の各情報である。
【００４８】
カメラの設定情報はカメラの状態が撮影者による設定変更された場合、コンピュータ４０からのデジタルカメラ２への設定変更された場合により、デジタルカメラ２からコンピュータ４０へ更新通知される。
【００４９】
ステップＳ１０３では、デジタルカメラ２の撮影モードがミラーアップ撮影可能であるかを判断し、その答えが、その答えが否定（NO）のときは、リモート撮影の画面にミラーアップマークを消灯し（Ｓ１０4）、肯定（YES）のときはステップＳ１０５に進む。
【００５０】
ステップＳ１０５では、デジタルカメラ２でミラーアップ撮影できないライブビュー状態を判断し、その答えが否定（NO）のときはリモート撮影の画面にミラーアップマークの表示を消灯し、肯定（YES）のときはステップＳ１０７に進む。
【００５１】
ステップＳ１０７では、デジタルカメラ２の設定情報からミラーアップ撮影設定していない状態を判断し、その答えが、その答えが否定（NO）のときはリモート撮影の画面にミラーアップマークの設定なしの表示（Ｓ１０８）を行い、肯定（YES）のときはステップＳ１０９に進む。
【００５２】
ステップＳ１０９では、デジタルカメラ２の表示情報からミラーアップ表示情報を判断し、その答えが、その答えが否定（NO）のときはリモート撮影の画面にミラーアップマークの点灯を行い（Ｓ１１０）、肯定（YES）のときはミラーアップマークを消灯する（Ｓ１１０）。ミラーアップマーク表示の更新後、ステップＳ１１2にてデジタルカメラから設定状態の更新通知がなされたかどうか確認し、更新があった場合（YES）ステップＳ１０３にもどり再度ミラーアップマークの更新処理を行う。ステップＳ１１３にて通信が切断された場合、ステップＳ１１4にて電源をＯＦＦし終了する。
【００５３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５５】
1  レンズ
２１  ハーフミラー
２２  シャッター
２３  撮像素子
【図１】
2011041174.tif 000003
【図２】
2011041174.tif 000004
【図３】
2011041174.tif 000005
【図４】
2011041174.tif 000006